(57)【要約】【課題】シートに転写された表題欄の一部が裏に回り込むことなく全部見える折り幅でシートを折るシート処理装置、画像形成装置、シート処理方法、プログラム及び記録媒体を提供する。【解決手段】シートをどのように折るかについてその折り方の類型である折りパターンと、前記折りパターンの各折り幅を対応付けた折りパターンテーブルを予め記憶する記憶手段から、前記シートに転写された画像である表題欄の長さのうち前記シート処理装置への前記シートの送り方向と平行する方向の表題欄長さに応じて、前記シートの折り上がり時に前記表題欄の一部が裏に回り込むことなく全部見える折り幅で折る折りパターンを、前記折りパターンテーブルから選択し、前記選択された折りパターンに従って前記シートを折る。【選択図】図３
2009263117.tif 000002
【特許請求の範囲】
【請求項１】
シートを折るシート折り手段を備えるシート処理装置であって、
前記シートをどのように折るかについてその折り方の類型である折りパターンと、前記折りパターンの各折り幅を対応付けた折りパターンテーブルを予め記憶する記憶手段と、
前記シートに転写された画像である表題欄の長さのうち前記シート処理装置への前記シートの送り方向と平行する方向の表題欄長さを取得し、前記取得した表題欄長さに応じて、前記シートの折り上がり時に前記表題欄の一部が裏に回り込むことなく全部見える折り幅で折る折りパターンを、前記折りパターンテーブルから選択する折りパターン選択手段と、を備え、
前記シート折り手段は、前記選択された折りパターンに従って前記シートを折ることを特徴とするシート処理装置。
【請求項２】
前記表題欄の長さのうち前記シート処理装置への前記シートの送り方向と平行する方向の表題欄長さを検知する表題欄長さ検知手段を備え、
前記折りパターン選択手段は、前記表題欄長さ検知手段により検知した表題欄長さに応じて前記折りパターンテーブルから折りパターンを選択することを特徴とする請求項１記載のシート処理装置。
【請求項３】
前記シート処理装置への操作指令を入力する操作画面を備える操作手段を備え、
前記折りパターン選択手段は、前記操作画面から入力された表題欄長さに応じて前記折りパターンテーブルから折りパターンを選択することを特徴とする請求項１記載のシート処理装置。
【請求項４】
前記折りパターンテーブルは、各シートサイズと、シートサイズ毎の各定型折り種類と、定型折り種類毎の各折り幅を対応付け、
前記折りパターン選択手段は、さらに、前記シート処理装置に搬入されたシートのシートサイズと定型折り種類とに応じて、前記シートの折り上がり時に前記表題欄の一部が裏に回り込むことなく全部見える折り幅で折る折りパターンを前記折りパターンテーブルから選択することを特徴とする請求項１から３のいずれか１項記載のシート処理装置。
【請求項５】
前記折りパターン選択手段は、予め定められた最小折り幅よりも小さい折り幅にならない折りパターンを前記折りパターンテーブルから選択することを特徴とする請求項１から４のいずれか１項記載のシート処理装置。
【請求項６】
請求項１から５のいずれか１項記載のシート処理装置を備える画像形成装置。
【請求項７】
シートを折るステップを備えるシート処理方法であって、
前記シートをどのように折るかについてその折り方の類型である折りパターンと、前記折りパターンの各折り幅を対応付けた折りパターンテーブルを記憶するステップと、
前記シートに転写された画像である表題欄の長さのうち前記シート処理装置への前記シートの送り方向と平行する方向の表題欄長さを取得し、前記取得した長さに応じて、前記シートの折り上がり時に前記表題欄の一部が裏に回り込むことなく全部見える折り幅で折る折りパターンを、前記折りパターンテーブルから選択するステップと、
前記選択された折りパターンに従ってシートを折るステップと、を備えることを特徴とするシート処理方法。
【請求項８】
シートを折る処理をコンピュータに実行させるシート処理プログラムであって、
前記シートをどのように折るかについてその折り方の類型である折りパターンと、前記折りパターンの各折り幅を対応付けた折りパターンテーブルを予め記憶する処理と、
前記シートに転写された画像である表題欄の長さのうち前記シート処理装置への前記シートの送り方向と平行する方向の表題欄長さを取得し、前記取得した長さに応じて、前記シートの折り上がり時に前記表題欄の一部が裏に回り込むことなく全部見える折り幅で折る折りパターンを、前記折りパターンテーブルから選択する処理と、をコンピュータに実行させ、
前記シートを折る処理は、前記選択された折りパターンに従ってシートを折ることを特徴とするシート処理プログラム。
【請求項９】
請求項８記載のプログラムの処理を記録するコンピュータ読取り可能な記録媒体。
【発明の詳細な説明】
【技術分野】
【０００１】
本発明は、シート処理装置、画像形成装置、シート処理方法、プログラム及び記録媒体に関し、特に表題欄長さに応じてシートの折りパターンを選択するシート処理装置、画像形成装置、シート処理方法、プログラム及び記録媒体に関する。
【背景技術】
【０００２】
近年、印刷済み用紙（記録紙、ＯＨＰ（Overhead Projector）シート、フィルム等のシート状記録媒体（単に「シート」とも称す）の一例）を自動で折りたたむ紙折り装置が実用化されている。印刷済み用紙を作成する画像形成装置と接続された紙折り装置も知られている（例えば、特許文献１参照）。かかる紙折り装置は、画像形成装置から挿入された印刷済み用紙の定型シートサイズを定型縦と定型横の２つのシートサイズに絞り込み、絞り込まれた結果を操作部に表示し、その表示結果からシートサイズを選択することで、用紙サイズの入力ミスを低減させることが可能となる。また、選択されたシートサイズと、その用紙サイズに該当する折りモード（折りパターンとも称す）のみを選択できるようにすることで、折りモードの入力ミスを低減させることができる。表題欄が設けられている用紙の場合は、折りモードによって表題欄の挿入方向が予め決定されている。従って選択した用紙サイズ及び折りモードの組み合わせから決定される表題欄の挿入方向に、既に挿入されている用紙の表題欄の方向が一致しているかどうかの確認を行う。
【０００３】
また、印刷ジョブに予め重要箇所情報を付加することにより、印刷済み用紙を最適な三つ折りモードで折る印刷制御装置が提案されている（例えば、特許文献２参照）。かかる印刷制御装置は、印刷ジョブに係わる文書の重要箇所属性、スタンプ位置若しくはフォーマットに応じて、複数ある三つ折りモード（例えば、印刷面の上部若しくは左部を最上面としてＺ折りする第１の折りモード）から最適な三つ折りモードを自動選択する。
【特許文献１】特開２００７−２４６２２８号公報
【特許文献２】特開２００５−２１９８６８号公報
【発明の開示】
【発明が解決しようとする課題】
【０００４】
しかしながら、上記のような技術には、以下の問題点がある。選択した用紙サイズ及び折りモードの組み合わせから決定される表題欄の挿入方向に、既に挿入されている用紙の表題欄の方向が一致しているかどうかの確認を行う紙折り装置は、表題欄の大きさによっては表題欄の途中で折ってしまい、表題欄の一部が裏に回り込み、紙折りにより重要な箇所が隠れてしまうことが考え得る。上記紙折り装置は、表題欄の長さに留意しておらず、また、折りあがりの図面の表題が明確に確認できない問題も発生している。
【０００５】
上記最適な三つ折りモードを自動選択する印刷制御装置は、折りパターンが三つ折りに限られ、他の折り方に対応出来ない。また、予め印刷ジョブに重要箇所情報が付加されていることが必須となるため、データを付加できる電子文書を印刷する印刷装置を制御する印刷制御装置に限られてしまう。従って既に印刷された用紙を複写する印刷装置には適用できない。
【０００６】
本発明はこのような状況に鑑みてなされたものであり、シートの折り上がり時に表題欄の一部が裏に回り込むことなく全部見える折り幅で折ることを目的とする。
【課題を解決するための手段】
【０００７】
本発明に係るシート処理装置は、シートを折るシート折り手段を備えるシート処理装置であって、前記シートをどのように折るかについてその折り方の類型である折りパターンと、前記折りパターンの各折り幅を対応付けた折りパターンテーブルを予め記憶する記憶手段と、前記シートに転写された画像である表題欄の長さのうち前記シート処理装置への前記シートの送り方向と平行する方向の表題欄長さを取得し、前記取得した表題欄長さに応じて、前記シートの折り上がり時に前記表題欄の一部が裏に回り込むことなく全部見える折り幅で折る折りパターンを、前記折りパターンテーブルから選択する折りパターン選択手段と、を備え、前記シート折り手段は、前記選択された折りパターンに従って前記シートを折ることを特徴とする。
【０００８】
本発明に係る画像形成装置は、上記本発明に係るシート処理装置を備えることを特徴とする。
【０００９】
本発明に係るシート処理方法は、シートを折るステップを備えるシート処理方法であって、前記シートをどのように折るかについてその折り方の類型である折りパターンと、前記折りパターンの各折り幅を対応付けた折りパターンテーブルを記憶するステップと、前記シートに転写された画像である表題欄の長さのうち前記シート処理装置への前記シートの送り方向と平行する方向の表題欄長さを取得し、前記取得した長さに応じて、前記シートの折り上がり時に前記表題欄の一部が裏に回り込むことなく全部見える折り幅で折る折りパターンを、前記折りパターンテーブルから選択するステップと、前記選択された折りパターンに従ってシートを折るステップと、を備えることを特徴とする。
【００１０】
本発明に係るシート処理プログラムは、シートを折る処理をコンピュータに実行させるシート処理プログラムであって、前記シートをどのように折るかについてその折り方の類型である折りパターンと、前記折りパターンの各折り幅を対応付けた折りパターンテーブルを予め記憶する処理と、前記シートに転写された画像である表題欄の長さのうち前記シート処理装置への前記シートの送り方向と平行する方向の表題欄長さを取得し、前記取得した長さに応じて、前記シートの折り上がり時に前記表題欄の一部が裏に回り込むことなく全部見える折り幅で折る折りパターンを、前記折りパターンテーブルから選択する処理と、をコンピュータに実行させ、前記シートを折る処理は、前記選択された折りパターンに従ってシートを折ることを特徴とする。
【００１１】
本発明に係る記録媒体は、上記本発明に係るシート処理プログラムの処理を記録するコンピュータ読取り可能な記録媒体である。
【発明の効果】
【００１２】
本発明によれば、シートをどのように折るかについてその折り方の類型である折りパターンと、前記折りパターンの各折り幅を対応付けた折りパターンテーブルを予め記憶する記憶手段から、前記シートに転写された画像である表題欄の長さのうち前記シート処理装置への前記シートの送り方向と平行する方向の表題欄長さに応じて、前記シートの折り上がり時に前記表題欄の一部が裏に回り込むことなく全部見える折り幅で折る折りパターンを、前記折りパターンテーブルから選択するため、シートの折り上がり時に表題欄の一部が裏に回り込むことなく全部見える折り幅で折ることが出来る。
【発明を実施するための最良の形態】
【００１３】
以下に、本発明の実施形態について図面を用いて詳細に説明する。なお、以下に述べる実施形態は、本発明の好適な実施形態であるから、技術的に好ましい種々の限定が付されているが、本発明の範囲は、以下の説明において特に本発明を限定する旨の記載がない限り、これらの態様に限られるものではない。本明細書で、また、表題欄とは、シートに転写された画像で、例えば図面の管理上必要な事項、図面内容に関する定型的な事項などがまとめて記入される欄である。また、折りパターンとは、シートをどのように折るかについて、その折り方の類型であって、表題欄が転写されているシートの折り上がり時に、表題欄の一部が裏に回り込むことなく全部見える折り幅で折る折り方の類型のことである。
【００１４】
図１は、本発明の実施形態に係るシート処理装置１が画像形成装置２００に接続された状態の概略断面図である。図２はシート処理装置１の背面図である。なお、本実施形態ではシート処理装置１が画像形成装置２００に接続されているが、本発明はこれに限られることは無く、印刷済みのシートに対して最適な折りパターンを選択するシート処理装置であれば良い。
【００１５】
図１に示すように、シート処理装置１は、画像形成装置２００の背面に連結されている。図中のＰはシートの一例である用紙（Paper）を示す。
【００１６】
ここで、画像形成装置２００について概略を説明する。画像形成装置２００は、用紙のサイズ、定型折り種類（基本折り、袋折り、ファイル折り）等を設定できる操作部２２０、画像読取部２０５、手差し給紙台２０８、レジストローラ２０７、作像ユニット２０６、定着部２１０、連結部排出ローラ２１１、上排紙ローラ２０９から構成される。
【００１７】
手差し給紙台２０８にセットされた用紙は、レジストローラ２０７により一次停止され、タイミングをとって作像ユニット２０６に供給される。作像ユニット２０６は、図示しない感光体に画像データ（画像読取部２０５で読取った画像データ等）に対応した潜像が形成され、この潜像がトナーにより現像され、このトナーが用紙に転写される。転写されたトナーは定着部２１０で用紙に定着され、印刷済み用紙が形成される。印刷済み用紙の紙折りを行う場合は、連結部排出ローラ２１１によりシート処理装置１へ排出される。また、紙折りを行わない場合は、図示されていない切換爪により上排紙ローラ２０９により画像形成装置２００のトレイへ排出される。
【００１８】
次に、シート処理装置１の概略について説明する。シート処理装置１は、画像形成装置２００から印刷済み用紙を搬入する連結部２、用紙先端の端面を折る端面折り部３、用紙を搬送方向にジャバラ状に折るジャバラ折り部４、ジャバラ状に折られた用紙の搬送方向を切り換える搬送切換部５、搬送方向を切り換えた用紙を折るクロス折り部６（図２参照）、クロス折り部６で折られた用紙を表裏反転させる反転部７、さらに用紙を回転する回転部８、トレイ９から構成される。
【００１９】
このように、画像形成装置２００から印刷済み用紙が搬入される場合（オンライン操作とも称す）は上記構成で足りるが、印刷済み用紙を、画像形成装置２００を通さず搬入できる（オフライン操作とも称す）第２の用紙搬入口を備える構成とすることも考え得る。図１及び図２に示すシート処理装置１は、かかる第２の用紙搬入口をも備えた構成となっており、第２の用紙搬入口としての手差し台１２を備える手差し部１１、オフライン操作を行う操作部２０、サイドフェンス１５（図２参照）、用紙サイズセンサ１４、手差し搬送ローラ対１３を備える。
【００２０】
オフライン操作を行う場合は、折る用紙Ｐ（印刷済みの用紙）の幅にサイドフェンス１５を合わせ、手差し台１２にセットした用紙を図１の矢印方向に挿入する。挿入された用紙を、用紙サイズセンサ１４により検知し、あるタイミングで手差し搬送ローラ対１３が回転し、用紙Ｐをくわえ込み一端停止する。そこで操作部２０に用紙のサイズ、定型折り種類等を設定し、スタートボタンを押す。すると手差し搬送ローラ対１３が再度回転し、用紙Ｐが矢印方向に搬送され、端面折り部３に用紙が送られる。
【００２１】
一方オンライン操作の場合は、画像形成装置２００で画像が転写された用紙が連結部２を通り、端面折り部３に搬入される。用紙のサイズ、定型折り種類等の設定は、既に画像形成装置２００の操作部２２０から行われている。
【００２２】
なお本実施形態では、操作部２０、２２０からの用紙のサイズ、定型折り種類等の設定がユーザの任意によりなされているが、これに限られることはなく、用紙のサイズ等を自動検出し、最適な折りパターンを選択することも可能である。本実施形態の特徴となる折りパターンの選択については後述する。
【００２３】
次に、シート処理装置１で用紙が折られる際の概略について説明する。上記オフライン若しくはオンライン操作で搬入された用紙は、端面折り部３に送られ、用紙端面を折る場合は端面折り部３により用紙先端の端面が折られる。このとき用紙を搬送しながら用紙端面を折る。端面折り部３により用紙先端の端面が折られた後、用紙はジャバラ折り部４により搬送方向にジャバラ状に折られ、搬送切換部５に送られる。
【００２４】
搬送切換部５に送られたジャバラ状に折られた用紙は、図１のＡ矢視方向から見た図２で、スキュー補正を行い、パンチが有る場合はジャバラ状に折られた用紙を穿孔し、クロス折り部６に用紙を送る。クロス折り部６に送られたジャバラ状に折られた用紙はジャバラ折りとは直交する方向に再度ジャバラ状に折られる。
【００２５】
このように折られた用紙はトレイ９に排出された時に転写面が下になるよう、用紙を反転部７により反転する。さらに折った用紙をトレイ９に排出した時、用紙に印刷された画像の向きが揃う様にするため、回転部８にて左右９０°回転した上でトレイ９に排出することも考え得る。
【００２６】
以上が本実施形態に係るシート処理装置１、周辺機器として用いられる画像形成装置２００の概略の説明である。次に、本実施形態の特長となる、シートをどのように折るかについてその折り方の類型である折りパターンと、前記折りパターンの各折り幅を対応付けた折りパターンテーブルを予め記憶する記憶手段から、前記シートに転写された画像である表題欄の長さのうち前記シート処理装置への前記シートの送り方向と平行する方向の表題欄長さに応じて、前記シートの折り上がり時に前記表題欄の一部が裏に回り込むことなく全部見える折り幅で折る折りパターンを、前記折りパターンテーブルから選択するため、シートの折り上がり時に表題欄の一部が裏に回り込むことなく全部見える折り幅で折ることについて説明する。
【００２７】
図３は本実施形態に係るシート処理装置の構成ブロック図である。シート処理装置１は、図３に示すように少なくともシート折り部１６、記憶部１７、折りパターン選択部１８から構成される。記憶部１７は折りパターンテーブル１９を記憶する。シート折り部１６は、折りパターン選択部１８がパターンテーブル１９から選択した折りパターンに従ってシートを折る処理を行う。
【００２８】
折りパターンテーブル１７とは、折りパターンと、前記折りパターンの各折り幅を対応付けた表である。さらに、シートサイズ（用紙サイズとも称す）と、シートサイズ毎の各定型折り種類と、定型折り種類毎の各折り幅等を対応付けても良い。図５は、用紙サイズ、定型折り種類、表題欄位置、各折り面の折り幅を示した折りパターンテーブルの一例を示す図である。図５の用紙サイズにおいてＴは縦、Ｙは横を示す。単位はｍｍで示す。図５に示す用紙サイズは定型サイズであり、Ａ０Ｔは８４１×１１８９、Ａ１Ｔは５９４×８４１、Ａ１Ｙは８４１×５９４、Ａ２Ｔは４２０×５９４、Ａ２Ｙは５９４×４２０、Ａ３Ｔは２９７×４２０である。定型折り名称に記載されている各折り方は、Ａ０〜Ａ３サイズの印刷済みシート（複写図とも称す）をＡ４サイズに折りたたむときの標準的な方法である。ここでＡ４サイズの寸法は２９７×２１０である。図５に示す定型折り名称に記載された「基本折り」は複写図を一般的に折りたたむ方法、「袋折り」は複写図を主にとじ穴のあるＡ４の袋の大きさに入るように折りたたむ方法、「ファイル折り」は複写図にとじ代を設けて折りたたむ方法、である。
【００２９】
次に、図４を参照して本実施形態に係るシート折りパターン選択を行う際の動作処理について説明する。図４は本実施形態に係るシート折りパターン選択を行う際の動作処理を示すフローチャートである。シート処理装置１での折り動作開始後、シート処理装置１の操作部２０、若しくは画像形成装置２００の操作部２２０からユーザによって設定された用紙サイズ、定型折り種類に基づき、用紙サイズがＡ２縦で且つ定型折り種類がファイル折りであるか否かの判定を行う（ステップＳ１）。なお、用紙サイズはシート処理装置１で自動検出しても良い。
【００３０】
ここで、操作部２２０とは画像形成装置２００に設けられている。操作部２２０は、装置に対する指示を入力できる操作画面を備え、例えば用紙のサイズ、定型折り種類（基本折り、袋折り、ファイル折り）等の設定を行うことができる。操作部２０は、シート処理装置１に設けられている。操作部２０は、装置に対する指示を入力できる操作画面を備え、例えば用紙のサイズ、定型折り種類等の設定を行うことができる。
【００３１】
ステップＳ１で判定内容が合致しない場合は（ステップＳ１／Ｎｏ）、用紙サイズ、定型折り種類（基本折り、袋折り、ファイル折り）に応じた固定折りパターン処理を行う（ステップＳ２）。例えばＡ０Ｔサイズでファイル折りが選択されている場合は、用紙の１面目を２１０ｍｍで折り、２面目から５面目を１７０ｍｍで折り、６面目を１５０ｍｍで折り、７面目が１４９ｍｍとなるように折る。
【００３２】
Ａ２Ｔサイズで且つファイル折りの場合は（ステップＳ１／Ｙｅｓ）、３つの折りパターンが可能であるため、表題欄の長さに応じていずれかを選択する。ここで、３つの折りパターンとは、図５に示すように、折りパターン１は１面目を２１０ミリ、２面目を８８ミリ、３面目を８８ミリ、４面目を１０４ミリ、５面目を１０４ミリで折り、表になる５面目に表題欄が現れるように折る。折りパターン２は、１面目を１６４ミリ、２面目を１０４ミリ、３面目を８８ミリ、４面目を８８ミリ、５面目を１５０ミリで折る。折りパターン３は、１面目を２１０ミリ、２面目を１９２ミリ、３面目を１９２ミリで折る。
【００３３】
表題欄の長さに応じた３つの折りパターンの選択は、まず、表題欄長さ（ｍｍデータ）を変数Ｘにリードする（図４ステップＳ３）。表題欄の長さの取得方法については後述する。
【００３４】
変数Ｘの値が１０４ｍｍ以下か否かの判定を行う（ステップＳ４）。ここで、上述したように、折りパターン１〜３の中で、表題欄が現れる面の最小折り幅は、折りパターン１の５面目の１０４ミリである。従って表題欄長さが１０４ミリ以下であれば、折りパターン１でファイル折りを行うことが出来る。そこで１０４ミリ以下か否かの判定を行う。なお、ここでは一例として最小折り幅が１０４ミリとなっているが、本発明はこれに限られることはなく、折り上がり時に表題欄の一部が裏に回り込むことなく全部見える折り幅で折る最適な折りパターンが選択されれば良い。また、ここでは表題欄長さに加えてシートのサイズや、定型折り種類を参照して折りパターンを選択しているが、本発明はこれに限られることはなく、表題欄長さに応じて、表題欄が現れる表面を表題欄長さより小さな幅にならないよう折ることが出来る折りパターンを選択すれば良い。
【００３５】
ステップＳ４で１０４ｍｍ以下の場合は（ステップＳ４／Ｙｅｓ）折りパターン１の処理を行う（ステップＳ５）。
【００３６】
一方、変数Ｘのデータが１０４ｍｍを超えている場合は（ステップＳ４／Ｎｏ）、１５０ｍｍ以下であるか否か判定を行う（ステップＳ６）。１５０ｍｍ以下の場合は（ステップＳ６）、折りパターン２の処理を行う（ステップＳ７）。
【００３７】
変数Ｘのデータが１５０ｍｍを超えている場合は（ステップＳ６／Ｎｏ）、パターン３の処理を行う（ステップＳ８）。
【００３８】
上記各折りパターンの具体的内容を図６に示す。かかる折りパターンは、Ａ２Ｔサイズのファイル折りの折りパターン条件として、用紙長が５９４ｍｍであること、折りあがりの用紙幅が２１０ｍｍになること、ファイリング時にパンチ穴等に利用するためのスペースを確保し、各折り幅が最小折り幅以上になるように各面毎に折り幅を決定する。更に最終折り面長さが表題欄長さより大きくなるように１面目からの折り幅を決定した。すなわち、折りパターン１は、用紙の１面目を２１０ｍｍで折り、２面目と３面目を８８ｍｍで折り、４面目と５面目が１０４ｍｍとなるように仕上げる。折りパターン２は、用紙の１面目を１６４ｍｍで折り、２面目を１０４ｍｍで折り、３面目と４面目を８８ｍｍで折り５面目が１５０ｍｍとなるように仕上げる。折りパターン３は、用紙の１面目を２１０ｍｍ、２面目と３面目を１９２ｍｍとなるように仕上げる。
【００３９】
次に、上記図４のステップＳ３を説明する際に述べた表題欄の入力方法について説明する。図７は、表題欄長さ（ｍｍデータ）をシート処理装置の操作部２０、若しくは画像形成装置２００の操作部２２０から入力する際の操作画面の一例を示す図である。図７に示すように、表題欄長さ（ｍｍデータ）はシート処理装置の操作部２０、若しくは画像形成装置２００の操作部２２０から入力することができる。図８は、予め記憶した表題欄の長さを操作部から確定することで表題欄長さの指定を行う際の操作画面の一例を示す図である。図８に示すように、表題欄の長さを予め記憶し、操作部から確定することで表題欄長さの指定を行うこともできる。図９は、表題欄長さを予め複数登録し、折り動作を行う場合に、登録した表題欄長さから選択することで表題欄長さの指定を行う際の操作画面の一例を示す図である。図９に示すように、表題欄長さを予め複数登録し、折り動作を行う場合に、登録した表題欄長さから選択することで表題欄長さの指定を行うこともできる。若しくは、シートに転写された画像である表題欄を読取り、表題欄長さを自動検出することも可能である。
【００４０】
以上のように、シートをどのように折るかについてその折り方の類型である折りパターンと、前記折りパターンの各折り幅を対応付けた折りパターンテーブルを予め記憶する記憶手段から、前記シートに転写された画像である表題欄の長さのうち前記シート処理装置への前記シートの送り方向と平行する方向の表題欄長さに応じて、前記シートの折り上がり時に前記表題欄の一部が裏に回り込むことなく全部見える折り幅で折る折りパターンを、前記折りパターンテーブルから選択するため、シートの折り上がり時に表題欄の一部が裏に回り込むことなく全部見える折り幅で折ることが出来る。
【００４１】
また、折りパターンを、表題欄を途中で折ってしまう定形サイズに限定して設定したことにより、ユーザが所望する折りパターン数を必要最小限に抑え、折りあがり後の用紙管理を容易にすることもできる。
【００４２】
なお、図５及び図６に示す折りパターンは一例であり、表題欄長さより長い折り面長さを確保し、これに伴い各面の折り幅を決定した折りパターンであれば良い。また、最小折り幅を予め設定しても良い。
【００４３】
以上のように、シートをどのように折るかについてその折り方の類型である折りパターンと、前記折りパターンの各折り幅を対応付けた折りパターンテーブルを予め記憶する記憶手段から、前記シートに転写された画像である表題欄の長さのうち前記シート処理装置への前記シートの送り方向と平行する方向の表題欄長さに応じて、前記シートの折り上がり時に前記表題欄の一部が裏に回り込むことなく全部見える折り幅で折る折りパターンを、前記折りパターンテーブルから選択するため、シートの折り上がり時に表題欄の一部が裏に回り込むことなく全部見える折り幅で折ることができ、折りあがり後の用紙を再び広げることなく表題を明確に確認することが出来る。
【００４４】
表題欄の長さは折り動作を行う毎に入力する他、予め設定する、予め複数設定し選択する、自動検出する等により取得することができるため、表題欄がいかなるサイズであっても対応できる。これによりユーザの手間が省け、作業時間を低減して最適な折りパターンで折られた用紙を入手することができる。
【００４５】
なお、図４のフローチャートに示す処理を、ＣＰＵが実行するためのプログラムは本発明によるプログラムを構成する。このプログラムを記録する記録媒体としては、半導体記憶部や光学的及び／又は磁気的な記憶部等を用いることができる。このようなプログラム及び記録媒体を、前述した各実施形態とは異なる構成のシステム等で用い、そこのＣＰＵで上記プログラムを実行させることにより、本発明と実質的に同じ効果を得ることができる。
【００４６】
以上、本発明を好適な実施形態に基づき具体的に説明したが、本発明は上記のものに限定されるものではなく、その要旨を逸脱しない範囲で種々変更可能であることは言うまでもない。
【図面の簡単な説明】
【００４７】
【図１】本発明の実施形態に係るシート処理装置１が画像形成装置２００に接続された状態の概略断面図である。
【図２】図２は図１に示すＡ矢視方向から見たシート処理装置１の背面概略図である。
【図３】本発明の実施形態に係るシート処理装置１の構成ブロック図である。
【図４】本発明の実施形態に係るシート折りパターン選択を行う際の動作処理を示すフローチャートである。
【図５】本発明の実施形態に係る折りパターンテーブルである。
【図６】本発明の実施形態に係る折りパターン１乃至３を説明するための図である。
【図７】本発明の実施形態に係る操作部から表題欄長さを入力する場合に表示される操作画面の一例である。
【図８】本発明の実施形態に係る操作部から予め登録した表題欄長さを確定する場合に表示される操作画面の一例である。
【図９】本発明の実施形態に係る操作部から予め複数登録した表題欄長さから所望する表題欄を選択する場合に表示される操作画面の一例である。
【符号の説明】
【００４８】
１    シート処理装置
２    連結部
３    端面折り部
４    ジャバラ折り部
５    搬送切換部
６    クロス折り部
７    反転部
８    回転部
９    トレイ
１１    手差し部
１２    手差し台
１３    手差し搬送ローラ対
１４    用紙サイズセンサ
１５    サイドフェンス
１６    シート折り部
１７    記憶部
１８    折りパターン選択部
１９    折りパターンテーブル
２０    操作部
２００    画像形成装置
２０５    画像読取部
２０６    作像ユニット
２０７    レジストローラ
２０８    手差し給紙台
２０９    上排紙ローラ
２１０    定着部
２１１    連結部排出ローラ
２２０    操作部
【図１】
2009263117.tif 000003
【図２】
2009263117.tif 000004
【図３】
2009263117.tif 000005
【図４】
2009263117.tif 000006
【図５】
2009263117.tif 000007
【図６】
2009263117.tif 000008
【図７】
2009263117.tif 000009
【図８】
2009263117.tif 000010
【図９】
2009263117.tif 000011